【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
表領域の２値画像データをアウトライン化した結果に基づいて、表の外枠領域と表内部のセルの矩形領域とを抽出する抽出手段と、
前記外枠領域に対して前記セルの矩形領域をマッピングし、前記外枠領域内で当該セルの矩形領域がマッピングされない領域において前記セルの矩形領域の角点に基づいて色塗りセルを作成するマッピング手段と、
前記マッピング手段のマッピング結果に基づいて、前記表領域の構成を認識する認識手段と、
前記色塗りセルについて２値化処理を行い、セル内のオブジェクトを抽出する再処理手段と、
前記認識手段で認識した前記表領域の構成と前記再処理手段で抽出した結果とに基づいて、表データを作成する表データ作成手段と、
を有することを特徴とする画像処理装置。
【請求項２】
前記マッピング手段は、前記外枠領域の交点と前記セルの矩形領域の角点とに基づいて、前記外枠領域に対して前記セルの矩形領域をマッピングしていくことを特徴とする請求項１に記載の画像処理装置。
【請求項３】
前記マッピング手段は、前記外枠領域の交点と既にマッピングを行った前記セルの矩形領域の角点との中から注目点を抽出し、
当該注目点との一定距離以内に未だマッピングされていない前記セルの矩形領域の角点があれば、当該注目点と当該角点とが一致すると判定して当該角点を有するセルの矩形領域をマッピングしていき、
当該注目点との一定距離以内に未だマッピングされていない前記セルの矩形領域の角点がなければ、未だマッピングされていない前記セルの矩形領域の角点を通る水平線及び垂直線に基づいて、前記色塗りセルを作成することを特徴とする請求項２に記載の画像処理装置。
【請求項４】
前記認識手段は、前記マッピング結果に基づいて罫線の太さと交点の位置とを求めることにより、前記表領域の構成を認識することを特徴とする請求項１に記載の画像処理装置。
【請求項５】
前記再処理手段は、前記２値化処理を行った色塗りセルからテキストが抽出された場合、文字認識処理を行うことによりテキストコードを抽出することを特徴とする請求項１に記載の画像処理装置。
【請求項６】
文書画像データに対して２値化処理を施すことにより、当該文書画像の２値画像データを得る２値化手段と、
前記文書画像の２値画像データを、属性毎の領域に分割する領域分割手段と、
前記領域分割手段で分割された表領域の２値画像データに対して、前記抽出手段と前記マッピング手段と前記認識手段と前記再処理手段と前記表データ作成手段とによる処理を行わせることにより、前記表データを作成するように制御する表処理手段と、
前記表処理手段で作成した前記表データと、前記領域分割手段で分割された文字領域から生成したデータとを用いて、電子文書を作成する電子文書作成手段と、
を更に有することを特徴とする請求項１に記載の画像処理装置。
【請求項７】
抽出手段が、表領域の２値画像データをアウトライン化した結果に基づいて、表の外枠領域と表内部のセルの矩形領域とを抽出する抽出工程と、
マッピング手段が、前記外枠領域に対して前記セルの矩形領域をマッピングし、前記外枠領域内で当該セルの矩形領域がマッピングされない領域において前記セルの矩形領域の角点に基づいて色塗りセルを作成するマッピング工程と、
認識手段が、前記マッピング工程でのマッピング結果に基づいて、前記表領域の構成を認識する認識工程と、
再処理手段が、前記色塗りセルについて２値化処理を行い、セル内のオブジェクトを抽出する再処理工程と、
表データ作成手段が、前記認識工程で認識した前記表領域の構成と前記再処理手段で抽出した結果とに基づいて、表データを作成する表データ作成工程と、
を有することを特徴とする画像処理方法。
【請求項８】
コンピュータを、
表領域の２値画像データをアウトライン化した結果に基づいて、表の外枠領域と表内部のセルの矩形領域とを抽出する抽出手段、
前記外枠領域に対して前記セルの矩形領域をマッピングし、前記外枠領域内で当該セルの矩形領域がマッピングされない領域において前記セルの矩形領域の角点に基づいて色塗りセルを作成するマッピング手段、
前記マッピング手段のマッピング結果に基づいて、前記表領域の構成を認識する認識手段、
前記色塗りセルについて２値化処理を行い、セル内のオブジェクトを抽出する再処理手段、
前記認識手段で認識した前記表領域の構成と前記再処理手段で抽出した結果とに基づいて、表データを作成する表データ作成手段、
として機能させるためのコンピュータプログラム。
【請求項９】
請求項８記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】０００８
【補正方法】変更
【補正の内容】
【０００８】
本発明の画像処理装置は、表領域の２値画像データをアウトライン化した結果に基づいて、表の外枠領域と表内部のセルの矩形領域とを抽出する抽出手段と、前記外枠領域に対して前記セルの矩形領域をマッピングし、前記外枠領域内で当該セルの矩形領域がマッピングされない領域において前記セルの矩形領域の角点に基づいて色塗りセルを作成するマッピング手段と、前記マッピング手段のマッピング結果に基づいて、前記表領域の構成を認識する認識手段と、前記色塗りセルについて２値化処理を行い、セル内のオブジェクトを抽出する再処理手段と、前記認識手段で認識した前記表領域の構成と前記再処理手段で抽出した結果とに基づいて、表データを作成する表データ作成手段と、を有することを特徴とする。
【手続補正４】
【補正対象書類名】明細書
【補正対象項目名】０００９
【補正方法】変更
【補正の内容】
【０００９】
また、本発明の画像処理方法は、抽出手段が、表領域の２値画像データをアウトライン化した結果に基づいて、表の外枠領域と表内部のセルの矩形領域とを抽出する抽出工程と、マッピング手段が、前記外枠領域に対して前記セルの矩形領域をマッピングし、前記外枠領域内で当該セルの矩形領域がマッピングされない領域において前記セルの矩形領域の角点に基づいて色塗りセルを作成するマッピング工程と、認識手段が、前記マッピング工程でのマッピング結果に基づいて、前記表領域の構成を認識する認識工程と、再処理手段が、前記色塗りセルについて２値化処理を行い、セル内のオブジェクトを抽出する再処理工程と、表データ作成手段が、前記認識工程で認識した前記表領域の構成と前記再処理手段で抽出した結果とに基づいて、表データを作成する表データ作成工程と、を有することを特徴とする。
【手続補正５】
【補正対象書類名】明細書
【補正対象項目名】００４５
【補正方法】変更
【補正の内容】
【００４５】
図１６は、矩形領域Ａ内に色塗りセルを作成する例を示す図である。図１６に示す例では、矩形領域Ａ内に２つのセル図形の角点が存在するので、それらの角点を通る水平方向及び垂直方向の直線によって矩形領域Ａを区切り、区切られた領域の最も左上にある区切られた矩形図形を色塗りセルとしてマッピングする。
【手続補正６】
【補正対象書類名】明細書
【補正対象項目名】００４７
【補正方法】変更
【補正の内容】
【００４７】
次に、現在抽出されている交点の中で注目点が存在するか否かを判定する（ステップＳ１４０６）。注目点とは、上述したように、右側と下側に隣接し繋がっている交点を持つ交点で、それら３点を含む矩形領域がマッピング領域であり、かつ該矩形領域に対しまだ何もマッピングされていない交点である。交点が囲む領域内にセル図形及び色塗りセルがマッピングされていない領域が存在すれば注目点は存在する。尚、注目点が存在しない場合には表構成認識処理を終了とする。また、まだ注目点が存在する場合は、ステップＳ１４０１に戻り、再度注目点を抽出して一連の処理を繰り返す。